(57)【要約】      （修正有）【課題】煩雑な設定作業を要することなく複数の仕向国を設置対象にすることが可能な自動販売機を提供する。【解決手段】仕向国の通貨に応じて構成された硬貨処理機３０が選択的に接続され、硬貨処理機３０から与えられる投入貨幣の金額データに基づいて商品の払い出し制御を行うとともに、機器本体に設けられた液晶ディスプレイ２５を通じて商品販売に関わる出力データの表示を行う制御部４０を備えた自動販売機であって、硬貨処理機３０には、仕向国に対応した識別コードが格納され、制御部４０は、接続された硬貨処理機３０から識別コードを読み取り、当該読み取った識別コードに対応する出力データセット４２に従って液晶ディスプレイ２５に表示を行う。【選択図】図２
2020087406.tif 000002
【特許請求の範囲】
【請求項１】
機器本体に接続された決済処理機から与えられる決済情報に基づいて商品の払い出し制御を行うとともに、前記機器本体に設けられた出力部を通じて商品販売に関わる出力データの出力制御を行う制御部を備えた自動販売機であって、
前記決済処理機には、仕向国に対応した仕向国データが格納され、
前記制御部は、前記機器本体に接続された決済処理機の仕向国データを読み取り、当該読み取った仕向国データに従って前記出力部から出力データの出力を行うことを特徴とする自動販売機。
【請求項２】
前記制御部は、予め仕向国ごとに用意された出力データを格納する記憶部を有し、
前記決済処理機の仕向国データには、仕向国を特定するための識別コードが含まれており、
前記制御部は、前記決済処理機の識別コードに対応した仕向国の出力データを前記記憶部から読み出すことを特徴とする請求項１に記載の自動販売機。
【請求項３】
前記決済処理機の仕向国データには、仕向国に対応した出力データが含まれており、
前記制御部は、前記決済処理機の仕向国データから出力データを読み出すことを特徴とする請求項１に記載の自動販売機。
【請求項４】
前記機器本体には、前記出力部として表示装置が設けられ、
前記制御部は、前記決済処理機の仕向国データに従って、前記表示装置に表示を行うことを特徴とする請求項１に記載の自動販売機。
【請求項５】
前記決済処理機として、少なくとも硬貨を投入対象とする硬貨処理機を備えることを特徴とする請求項１に記載の自動販売機。
【請求項６】
前記制御部は、前記機器本体に接続された決済処理機の仕向国データが互いに異なる場合、予め設定された選択条件に従って稼働する決済処理機を設定し、当該稼働設定した決済処理機の仕向国データに従って前記出力部から出力データの出力を行うことを特徴とする請求項１に記載の自動販売機。
【請求項７】
前記制御部は、前記機器本体に接続された決済処理機を非稼働に設定した場合、前記出力部を通じてその旨出力することを特徴とする請求項６に記載の自動販売機。
【請求項８】
前記制御部は、予め設定された決済処理機の優先度を選択条件として稼働する決済処理機の選択を行うことを特徴とする請求項６に記載の自動販売機。
【請求項９】
前記制御部は、入力手段から入力された選択条件に従って稼働する決済処理機の選択を行うことを特徴とする請求項６に記載の自動販売機。
【請求項１０】
前記制御部は、商品販売を行う際の価格設定処理が実施された場合、当該設定された販売価格データを決済処理機の仕向国データに対応付けて記憶部に格納する処理を行う一方、予め設定したクリア条件が充足された場合には、販売価格データを初期化することを特徴とする請求項１に記載の自動販売機。
【請求項１１】
前記制御部は、起動時において前記記憶部に販売価格データが格納されている場合、前記機器本体に接続されている決済処理機の仕向国データと販売価格データに対応付けられた仕向国データとの比較を行い、仕向国データが相違し、かつ起動から予め設定した猶予時間が経過するまでの間に初期化のキャンセル操作が検知できなかった場合に前記クリア条件が充足していると判断することを特徴とする請求項１０に記載の自動販売機。
【請求項１２】
前記制御部は、電源投入時に予め設定された操作入力部から入力信号が与えられていなかった場合に前記クリア条件が充足していると判断することを特徴とする請求項１０に記載の自動販売機。
【発明の詳細な説明】
【技術分野】
【０００１】
本発明は、複数の仕向国が設置対象となる自動販売機に関するものである。
【背景技術】
【０００２】
複数の仕向国が設置対象となる自動販売機では、仕向国ごとに通貨が異なるため、それぞれの通貨に対応して貨幣処理機や電子マネー決済機等の決済処理機が取り付けられている必要がある。このため従来では、自動販売機に予め通貨の異なる複数の決済処理機を用意しておき、設置場所に応じて対応する決済処理機を稼働させるようにしている（例えば、特許文献１参照）。
【先行技術文献】
【特許文献】
【０００３】
【特許文献１】特開２０００−２８５２９０号公報
【発明の概要】
【発明が解決しようとする課題】
【０００４】
上述の自動販売機では、仕向国が増えれば、その分の決済処理機を用意しなければならず、仕向国の数に従って製造コストが増大せざるを得ない。こうした事態を防止するには、仕向国が決まった時点で対応する通貨の決済処理機を選択的に自動販売機に取り付けることが考えられる。しかしながら、仕向国に応じて変更が必要となるのは、決済処理機だけではなく、表示装置やスピーカといった出力部から出力する出力データについても仕向国に対応したものである必要がある。例えば、貨幣処理機に対して貨幣が投入された場合には、外扉に設けられた表示装置に投入金額を表示したり、その後の操作案内等のガイダンスを表示するようにしている。これらの表示データについても仕向国に応じた言語に設定する必要がある。この種の設定作業は、自動販売機に設けられたリモコンを通じて実施しているのが実情であり、設定作業が煩雑であるばかりか、設定ミスが生じるおそれもある。
【０００５】
本発明は、上記実情に鑑みて、煩雑な設定作業を要することなく複数の仕向国を設置対象とすることのできる自動販売機を提供することを目的とする。
【課題を解決するための手段】
【０００６】
上記目的を達成するため、本発明に係る自動販売機は、機器本体に接続された決済処理機から与えられる決済情報に基づいて商品の払い出し制御を行うとともに、前記機器本体に設けられた出力部を通じて商品販売に関わる出力データの出力制御を行う制御部を備えた自動販売機であって、前記決済処理機には、仕向国に対応した仕向国データが格納され、前記制御部は、前記機器本体に接続された決済処理機の仕向国データを読み取り、当該読み取った仕向国データに従って前記出力部から出力データの出力を行うことを特徴とする。
【０００７】
また本発明は、上述した自動販売機において、前記制御部は、予め仕向国ごとに用意された出力データを格納する記憶部を有し、前記決済処理機の仕向国データには、仕向国を特定するための識別コードが含まれており、前記制御部は、前記決済処理機の識別コードに対応した仕向国の出力データを前記記憶部から読み出すことを特徴とする。
【０００８】
また本発明は、上述した自動販売機において、前記決済処理機の仕向国データには、仕向国に対応した出力データが含まれており、前記制御部は、前記決済処理機の仕向国データから出力データを読み出すことを特徴とする。
【０００９】
また本発明は、上述した自動販売機において、前記機器本体には、前記出力部として表示装置が設けられ、前記制御部は、前記決済処理機の仕向国データに従って、前記表示装置に表示を行うことを特徴とする。
【００１０】
また本発明は、上述した自動販売機において、前記決済処理機として、少なくとも硬貨を投入対象とする硬貨処理機を備えることを特徴とする。
【００１１】
また本発明は、上述した自動販売機において、前記制御部は、前記機器本体に接続された決済処理機の仕向国データが互いに異なる場合、予め設定された選択条件に従って稼働する決済処理機を設定し、当該稼働設定した決済処理機の仕向国データに従って前記出力部から出力データの出力を行うことを特徴とする。
【００１２】
また本発明は、上述した自動販売機において、前記制御部は、前記機器本体に接続された決済処理機を非稼働に設定した場合、前記出力部を通じてその旨出力することを特徴とする。
【００１３】
また本発明は、上述した自動販売機において、前記制御部は、予め設定された決済処理機の優先度を選択条件として稼働する決済処理機の選択を行うことを特徴とする。
【００１４】
また本発明は、上述した自動販売機において、前記制御部は、入力手段から入力された選択条件に従って稼働する決済処理機の選択を行うことを特徴とする。
【００１５】
また本発明は、上述した自動販売機において、前記制御部は、商品販売を行う際の価格設定処理が実施された場合、当該設定された販売価格データを決済処理機の仕向国データに対応付けて記憶部に格納する処理を行う一方、予め設定したクリア条件が充足された場合には、販売価格データを初期化することを特徴とする。
【００１６】
また本発明は、上述した自動販売機において、前記制御部は、起動時において前記記憶部に販売価格データが格納されている場合、前記機器本体に接続されている決済処理機の仕向国データと販売価格データに対応付けられた仕向国データとの比較を行い、仕向国データが相違し、かつ起動から予め設定した猶予時間が経過するまでの間に初期化のキャンセル操作が検知できなかった場合に前記クリア条件が充足していると判断することを特徴とする。
【００１７】
また本発明は、上述した自動販売機において、前記制御部は、電源投入時に予め設定された操作入力部から入力信号が与えられていた場合に前記クリア条件が充足していると判断することを特徴とする。
【発明の効果】
【００１８】
本発明によれば、制御部によって決済処理機の仕向国データに従った出力データが出力されるようになるため、設定作業を要することなく複数の仕向国を設置対象とすることが可能となる。
【図面の簡単な説明】
【００１９】
【図１】図１は、本発明の実施の形態１である自動販売機を模式的に示す斜視図である。
【図２】図２は、図１に示した自動販売機の制御系を示すブロック図である。
【図３】図３は、図１に示した自動販売機の出力例を示すもので、（ａ）は仕向国が日本に設定された自動販売機の液晶ディスプレイの表示例を示す図、（ｂ）は仕向国がアメリカに設定された自動販売機の液晶ディスプレイの表示例を示す図である。
【図４】図４は、本発明の実施の形態２である自動販売機を模式的に示す斜視図である。
【図５】図５は、図４に示した自動販売機の制御系を示すブロック図である。
【図６】図６は、自動販売機の制御部において起動時に実施される価格設定処理の内容を示したフローチャートである。
【図７】図７は、販売価格データの具体例を示す図表である。
【図８】図８は、販売価格データの具体例を示す図表である。
【発明を実施するための形態】
【００２０】
以下、添付図面を参照しながら本発明に係る自動販売機の好適な実施の形態について詳細に説明する。
【００２１】
（実施の形態１）
図１は、本発明の実施の形態１である自動販売機を示したものである。ここで例示する自動販売機は、複数の仕向国を設置対象として缶入り飲料やペットボトル入り飲料等の容器入り飲料を商品として販売するものである。この自動販売機では、本体キャビネット１の前面に外扉２を備えて機器本体１０が構成されている。本体キャビネット１は、図には示していないが、内部に多数の商品を収納するための収納庫１１（図２参照）を有したものである。この収納庫１１には、内部の温度を所望の温度に維持するための冷却器やヒータ等の温度調整ユニット１２が設けてある。外扉２は、収納庫１１を開閉するように本体キャビネット１に取り付けたもので、前面に硬貨投入口２１、硬貨返却口２２、商品取出口２３、選択ボタン２４、液晶ディスプレイ２５及びスピーカ２６を備えている。硬貨投入口２１は、商品の対価となる硬貨を投入するためのものである。硬貨投入口２１から投入された硬貨は、外扉２に取り付けた硬貨処理機（決済処理機）３０に取り込まれることになる。硬貨処理機３０は、投入された硬貨の真贋及び金種を鑑別を行うものである。投入され硬貨が正規の硬貨であると判断した場合、硬貨処理機３０は、その硬貨を内部に貯留するとともに、後述の制御部４０に対して硬貨の金額データ（決済情報）を送信する処理を行う。なお、硬貨処理機３０によって正規のものでないと判断された硬貨は、外扉２に設けられた硬貨返却口２２に払い出されることになる。また、硬貨投入口２１から硬貨を投入した後に返却レバー２９を操作した場合にも、硬貨返却口２２に硬貨が払い出される。
【００２２】
本実施の形態１では、仕向国に対応した専用の硬貨処理機３０が予め用意してあり、自動販売機を組み立てる際にその仕向国に対応した硬貨処理機３０が外扉２の内部に選択的に取り付けられることになる。すなわち、硬貨処理機３０は、仕向国の硬貨を鑑別可能な鑑別センサを搭載することで仕向国専用のものとなっており、自動販売機の設置対象となる仕向国の数に応じた種類のものが予め複数用意してある。また、それぞれの硬貨処理機３０には、仕向国データが内部メモリ３１（図２参照）に格納してある。本実施の形態１では、仕向国データとして、仕向国を識別するための固有の識別コードが内部メモリ３１に格納してある。
【００２３】
選択ボタン２４は、押圧操作された場合に後述の制御部４０に対して選択信号を出力するもので、販売商品に対応して複数設けてある。液晶ディスプレイ２５は、後述の制御部４０から与えられた出力データに従って表示を行うもので、例えば硬貨投入口２１の上部に設けてある。同様に、スピーカ２６は、後述の制御部４０から与えられた出力データに従って音声出力を行うもので、例えば外扉２の上方部に設けてある。
【００２４】
図２は、上述した自動販売機の制御系を示すブロック図である。図２に示す制御部４０は、硬貨処理機３０から与えられた金額データ、選択ボタン２４から与えられた選択信号、返却レバー２９から与えられた返却信号及びメモリ４１に格納されたプログラムやデータに従って、液晶ディスプレイ２５、スピーカ２６、払出機構２７、温度調整ユニット１２の駆動を制御するものである。払出機構２７は、駆動した場合に収納庫１１に収納された商品を個別に払い出すためのものである。この制御部４０は、例えば、ＣＰＵ（Ｃｅｎｔｒａｌ  Ｐｒｏｃｅｓｓｉｎｇ  Ｕｎｉｔ）等の処理装置にプログラムを実行させること、すなわち、ソフトウェアにより実現しても良いし、ＩＣ（Ｉｎｔｅｇｒａｔｅｄ  Ｃｉｒｃｕｉｔ）等のハードウェアにより実現したり、ソフトウェア及びハードウェアを併用して実現することも可能である。
【００２５】
上述のメモリ４１には、仕向国ごとに用意された複数種類の出力データセット４２が、上述の識別コードに対応付けて格納されている。出力データセット４２は、液晶ディスプレイ２５に表示する文字データ、￥や＄等の通貨記号、金額の桁数、金額の小数点位置、スピーカ２６から出力する音声データ等々、主に自動販売機の利用者（商品購入客）に対して商品販売の際のガイダンスとなる出力データであり、仕向国ごとにひとまとめとなって格納してある。
【００２６】
この自動販売機では、仕向国に対応した硬貨処理機３０が外扉２の内部に取り付けられ、制御部４０との間がケーブル等の信号線によって接続された後、電源が投入されると、まず、硬貨処理機３０の内部メモリ３１に格納された識別コードが制御部４０によって読み取られる。識別コードを読み取った制御部４０は、メモリ４１に格納された複数種類の出力データセット４２から当該識別コードに対応付けられた出力データセット４２を読み出し、読み出した出力データセット４２を設定値として対応付ける。
【００２７】
例えば、外扉２の内部に日本の硬貨に対応した硬貨処理機３０が取り付けられると、自動販売機の仕様が日本に対応したものとなる。すなわち、この自動販売機では、当該硬貨処理機３０に格納された識別コードＡに基づき、制御部４０によって日本用に用意された出力データセット４２が設定値として対応付けられる。これにより、図３（ａ）に示すように、自動販売機が待機状態にある場合には、液晶ディスプレイ２５に「商品を選んでください」という日本語のガイダンス表示が行われ、日本の硬貨が投入されるとその合計金額が「￥１００」というように１円単位（小数点以下無し）で表示される。また、スピーカ２６からは日本語で商品販売のガイダンスが適宜音声出力されるようになる。
【００２８】
硬貨処理機３０から与えられた金額データが、選択ボタン２４によって選択された商品の販売価格以上となった場合、制御部４０は、収納庫１１において当該商品に対応した払出機構２７を駆動する。この結果、収納庫１１から商品が払い出されることになり、外扉２の商品取出口２３を介して商品を取り出すことが可能となる。
【００２９】
これに対してアメリカの硬貨に対応した硬貨処理機３０が外扉２の内部に取り付けられると、自動販売機の仕様がアメリカに対応したものとなる。すなわち、この自動販売機では、当該硬貨処理機３０に格納された識別コードＢに基づき、制御部４０によってアメリカ用に用意された出力データセット４２が設定値として対応付けられる。これにより、図３（ｂ）に示すように、自動販売機が待機状態にある場合には、液晶ディスプレイ２５に「Ｐｌｅａｓｅ  ｓｅｌｅｃｔ  Ｐｒｏｄｕｃｔｓ」という英語のガイダンス表示が行われ、アメリカの硬貨が投入されるとその合計金額が「＄５．００」というように１／１００ドル単位（小数点以下２桁）で表示される。また、スピーカ２６からは英語で商品販売のガイダンスが適宜音声出力されるようになる。
【００３０】
以下、同様に、中国の硬貨に対応した硬貨処理機３０が取り付けられると、自動販売機の仕様が中国に対応したものとなって中国用に用意された出力データセット４２が設定値として対応付けられる。韓国の硬貨に対応した硬貨処理機３０が取り付けられると、自動販売機の仕様が韓国に対応したものとなって韓国用に用意された出力データセット４２が設定値として対応付けられることになり、液晶ディスプレイ２５やスピーカ２６からそれぞれの仕向地に対応した言語のガイダンス表示や音声の出力を行うことができるようになる。
【００３１】
このように、上述の自動販売機によれば、所望とする仕向国の硬貨処理機３０を取り付ければ、制御部４０により、硬貨処理機３０に格納された識別コードに従って仕向国に対応した出力データが設定されることになる。従って、煩雑な設定作業が不要になるとともに、設定ミスを招来することなく複数の仕向国を設置対象とすることが可能となる。
【００３２】
なお、上述した実施の形態１では、決済処理機として硬貨処理機３０を例示しているが、必ずしもこれに限定されない。例えば、紙幣処理機が設けられる自動販売機であれば、紙幣処理機に仕向国データを格納するようにしても良いし、携帯端末機やＩＣカードに格納された電子マネーを処理する電子マネー決済機が設けられる自動販売機であれば、電子マネー決済機に仕向国データを格納しても構わない。
【００３３】
（実施の形態２）
図４は、本発明の実施の形態２である自動販売機を示したものである。ここで例示する自動販売機は、実施の形態１と同様、複数の仕向国を設置対象として缶入り飲料やペットボトル入り飲料等の容器入り飲料を商品として販売するものである。実施の形態１では、機器本体１０に対して決済処理機が１つ設けられた自動販売機を例示したが、実施の形態２では、機器本体１０に対して決済方法の異なる複数の決済処理機が設けられた自動販売機を例示している。つまり、実施の形態２の自動販売機には、硬貨処理機３０に加えて紙幣処理機１３０が機器本体１０に接続してある。以下、実施の形態１と異なる点について主に説明し、実施の形態１と同様の構成については同一の符号を付して詳細説明を省略する。
【００３４】
実施の形態２の自動販売機では、外扉２の前面に硬貨投入口２１、硬貨返却口２２、商品取出口２３、選択ボタン（操作入力部）２４、液晶ディスプレイ２５、スピーカ２６、紙幣挿入口２８、返却レバー（操作入力部）２９が設けてある。紙幣挿入口２８は、商品の対価となる紙幣を挿入するためのものである。紙幣挿入口２８から挿入された紙幣は、外扉２に取り付けた紙幣処理機１３０に取り込まれることになる。紙幣処理機１３０は、投入された紙幣の真贋及び金種を鑑別を行うものである。投入され紙幣が正規の紙幣であると判断した場合、紙幣処理機１３０は、その紙幣を内部に貯留するとともに、後述の制御部４０に対して紙幣の金額データ（決済情報）を送信する処理を行う。なお、紙幣処理機１３０によって正規のものでないと判断された紙幣は、紙幣挿入口２８から外部に排出されることになる。また、紙幣挿入口２８に紙幣を投入した後に返却レバー２９を操作した場合にも、紙幣挿入口２８から紙幣が排出される。
【００３５】
本実施の形態２では、仕向国に対応した専用の硬貨処理機３０及び紙幣処理機１３０がそれぞれ予め複数用意してあり、自動販売機を組み立てる際にその仕向国に対応した硬貨処理機３０及び紙幣処理機１３０が外扉２の内部に選択的に取り付けられることになる。それぞれの硬貨処理機３０及び紙幣処理機１３０には、仕向国データとして、仕向国を識別するための固有の識別コードが内部メモリ３１，１３１に格納してある。
【００３６】
図５は、上述した自動販売機の制御系を示すブロック図である。図５に示す制御部４０は、硬貨処理機３０から与えられた金額データ、紙幣処理機１３０から与えられた金額データ、選択ボタン２４から与えられた選択信号、返却レバー２９から与えられた返却信号、リモコン５０から与えられた設定データ、メモリ４１に格納されたプログラムやデータに従って、液晶ディスプレイ２５、スピーカ２６、払出機構２７、温度調整ユニット１２の駆動を制御するものである。リモコン５０は、制御部４０に対して入力を行うための入力手段である。自動販売機の制御部４０は、例えば、ＣＰＵ等の処理装置にプログラムを実行させること、すなわち、ソフトウェアにより実現しても良いし、ＩＣ等のハードウェアにより実現したり、ソフトウェア及びハードウェアを併用して実現することも可能である。
【００３７】
上述のメモリ４１には、実施の形態１と同様、仕向国ごとに用意された複数種類の出力データセット４２が上述の識別コードに対応付けて格納してある他、エラー対応のための優先度データ４３が格納してある。優先度データ４３は、硬貨処理機３０及び紙幣処理機１３０の優先度を設定したものである。本実施の形態２では、紙幣処理機１３０よりも硬貨処理機３０の優先度が高く設定してある。
【００３８】
この自動販売機では、仕向国に対応した硬貨処理機３０及び紙幣処理機１３０が外扉２の内部に取り付けられ、制御部４０との間がケーブル等の信号線によって接続された後、電源が投入される。電源が投入されると、まず、硬貨処理機３０の内部メモリ３１に格納された識別コード及び紙幣処理機１３０の内部メモリ１３１に格納された識別コードがそれぞれ制御部４０によって読み取られる。硬貨処理機３０及び紙幣処理機１３０から識別コードを読み取った制御部４０は、これらが一致しているか否かを判断し、一致している場合、メモリ４１に格納された複数種類の出力データセット４２から当該識別コードに対応付けられた出力データセット４２を読み出し、読み出した出力データセット４２を設定値として対応付ける処理を行う。
【００３９】
例えば、外扉２に日本の硬貨に対応した硬貨処理機３０及び日本の紙幣に対応した紙幣処理機１３０が取り付けられると、自動販売機の仕様が日本に対応したものとなる。すなわち、この自動販売機では、硬貨処理機３０及び紙幣処理機１３０に格納された識別コードＡに基づき、日本用に用意された出力データセット４２が制御部４０によって設定値として対応付けられる。これにより、自動販売機が待機状態にある場合には、液晶ディスプレイ２５に「商品を選んでください」という日本語のガイダンス表示が行われ、日本の硬貨や紙幣が投入されるとその合計金額が１円単位（小数点以下無し）で表示される。また、スピーカ２６からは日本語で商品販売のガイダンスが適宜音声出力されるようになる。
【００４０】
硬貨処理機３０及び紙幣処理機１３０から与えられた金額データの合計が、選択ボタン２４によって選択された商品の販売価格以上となった場合、制御部４０は、収納庫１１において当該商品に対応した払出機構２７を駆動する。この結果、収納庫１１から商品が払い出されることになり、外扉２の商品取出口２３を介して商品を取り出すことが可能となる。
【００４１】
これに対してアメリカの硬貨に対応した硬貨処理機３０及び紙幣処理機１３０が取り付けられると、自動販売機の仕様がアメリカに対応したものとなる。すなわち、この自動販売機では、当該硬貨処理機３０に格納された識別コードＢに基づき、制御部４０によってアメリカ用に用意された出力データセット４２が設定値として対応付けられる。これにより、自動販売機が待機状態にある場合には、液晶ディスプレイ２５に「Ｐｌｅａｓｅ  ｓｅｌｅｃｔ  Ｐｒｏｄｕｃｔｓ」という英語のガイダンス表示が行われ、アメリカの硬貨が投入されるとその合計金額が「＄５．００」というように１／１００ドル単位（小数点以下２桁）で表示される。また、スピーカ２６からは英語で商品販売のガイダンスが適宜音声出力されるようになる。
【００４２】
以下、同様に、中国の貨幣に対応した硬貨処理機３０及び紙幣処理機１３０が取り付けられると、自動販売機の仕様が中国に対応したものとなって中国用に用意された出力データセット４２が設定値として対応付けられ、韓国の貨幣に対応した硬貨処理機３０及び紙幣処理機１３０が取り付けられると、自動販売機の仕様が韓国に対応したものとなって、韓国用に用意された出力データセット４２が設定値として対応付けられることになる。これにより、自動販売機が動作すると、液晶ディスプレイ２５やスピーカ２６からは、それぞれの仕向地に対応した言語のガイダンス表示や音声の出力が行われることになる。
【００４３】
一方、上述の判断において、外扉２に取り付けられた硬貨処理機３０の識別コードと紙幣処理機１３０の識別コードとが一致していなかった場合、制御部４０は、メモリ４１に格納された優先度データ４３を読み取り、優先度データ４３に従って、硬貨処理機３０及び紙幣処理機１３０の一方のみを稼働とし、他方を非稼働とする。上述したように、本実施の形態２では、紙幣処理機１３０よりも硬貨処理機３０の優先度が高く設定してあるため、制御部４０によって硬貨処理機３０が稼働設定となり、紙幣処理機１３０が非稼働設定となる。
【００４４】
さらに制御部４０は、メモリ４１に格納された複数種類の出力データセット４２の中から、稼働設定した硬貨処理機３０の識別コードに対応付けられた出力データセット４２を読み出し、読み出した出力データセット４２を設定値として対応付ける処理を行う。例えば、自動販売機の機器本体１０に日本の硬貨に対応した硬貨処理機３０と、アメリカの紙幣に対応した紙幣処理機１３０とが接続されている場合、制御部４０は、硬貨処理機３０を稼働設定する一方、紙幣処理機１３０を非稼働設定し、硬貨処理機３０の識別コードに対応付けられた日本用の出力データセット４２を設定値として対応付ける。これにより、液晶ディスプレイ２５には「紙幣処理機１３０は使用できません。」という日本語のエラー表示や音声出力が行われ、利用者（商品購入客）が紙幣を利用する事態を未然に防止することができる。なお、非稼働となった紙幣処理機１３０では、紙幣を挿入することができない状態となっているため、利用者が誤って紙幣を挿入する事態を招来するおそれもない。
【００４５】
このように、上述の自動販売機によれば、所望とする仕向国の硬貨処理機３０及び紙幣処理機１３０を取り付ければ、制御部４０により、硬貨処理機３０及び紙幣処理機１３０に格納された識別コードに従って仕向国に対応した出力データが設定されることになる。しかも、硬貨処理機３０と紙幣処理機１３０とで異なる仕向国に対応するものが取り付けられた場合にも、一方のみが稼働し、他方が非稼働となるため、仕向国の通貨のみが使用可能となり、商品販売に対してトラブルが発生するおそれもない。従って、煩雑な設定作業が不要になるとともに、設定ミスを招来することなく複数の仕向国を設置対象とすることが可能となる。
【００４６】
図６は、上述した自動販売機の制御部４０において起動時に実施される価格設定処理の内容を示したフローチャートである。以下、このフローチャートに従って、自動販売機の価格設定処理について説明する。なお、図示の例では、自動販売機に硬貨処理機３０のみが接続してあるものとする。
【００４７】
価格設定処理においては、電源が投入されると、まず制御部４０によってメモリ４１に販売価格データ４４が格納されているか否かの判断が行われる（ステップＳ１０１）。販売価格データ４４とは、それぞれの選択ボタン２４と販売価格との対応を示すデータであり、価格設定処理を実施した硬貨処理機３０の識別コードに対応付けてメモリ４１に格納してある。例えば、図７の例では、対応付けられた識別コードがインドネシアであり、選択ボタン２４ａに対して設定された販売価格が「９０」となる。以下同様に、選択ボタン２４ｂに対して「１３０」、選択ボタン２４ｃに対して「５０」、選択ボタン２４ｄに対して「１００」、選択ボタン２４ｅに対して「１３０」がそれぞれ販売価格として設定されている。
【００４８】
ここで、自動販売機の硬貨処理機３０からは、投入金額の絶対値と、通貨のレートである金額の桁数を示す情報とが制御部４０に対して与えられることになる。上述のインドネシアの場合には、金額の桁数が２桁に設定されている。従って、選択ボタン２４ａに対しては、硬貨処理機３０に対して９０００ルピア投入された場合に有効となる。
【００４９】
販売価格データ４４がメモリ４１に格納されていない場合には（ステップＳ１０１：ＮＯ）、自動販売機が価格設定処理となる（ステップＳ１０２）。この価格設定処理では、例えばリモコン５０から選択ボタン２４に対して販売価格を入力すると、対応する選択ボタン２４に対して販売価格が設定される。すべての選択ボタン２４に対して販売価格を設定し、設定を完了すると、図７に示したように、入力した選択ボタン２４に対する販売価格のデータが、現在接続されている硬貨処理機３０の識別コードに対応付けた形でメモリ４１に格納されることになる。
【００５０】
一方、販売価格データ４４がメモリ４１に格納されていた場合には（ステップＳ１０１：ＹＥＳ）、制御部４０によって現在接続されている硬貨処理機３０の識別コードを読み取る処理が行われ（ステップＳ１０３）、さらに読み取った硬貨処理機３０の識別コードと、販売価格データ４４に対応付けられた識別コードとの比較が行われる（ステップＳ１０４）。互いに識別コードが一致した場合には（ステップＳ１０４：ＹＥＳ）、価格設定処理を実施した状態から硬貨処理機３０が変更されていないことになる。従って、制御部４０は、メモリ４１に格納されていた販売価格データ４４をそのまま読み込む処理を実施する（ステップＳ１０５）。これにより、例えば硬貨処理機３０に対して９０００ルピアを投入すると、選択ボタン２４ａ及び選択ボタン２４ｃが有効となり、いずれかの選択ボタン２４ａ，２４ｃを押すことで対応付けられた商品を購入することができるようになる。
【００５１】
これに対して現在接続されている硬貨処理機３０の識別コードと、販売価格データ４４に対応付けられた識別コードとが一致しない場合には（ステップＳ１０４：ＮＯ）、価格設定処理を実施した後に硬貨処理機３０の変更が行われたことになる。従って、制御部４０は、予め設定した猶予時間、例えば３秒が経過するまでの間、リモコン５０からのキャンセル操作を監視し（ステップＳ１０６、ステップＳ１０７、ステップＳ１０８）、キャンセル操作が行われなかった場合（ステップＳ１０７：ＹＥＳ）、クリア条件が充足されたと判断してメモリ４１に格納されていた販売価格データ４４を初期化し（ステップＳ１０９）、手順を価格設定処理に移行する（ステップＳ１０２）。これにより、新たに接続された硬貨処理機３０を基準として価格設定処理が実施されることになるため、自動販売機の管理者が意図しない価格設定で商品が販売される事態を未然に防止することができる。なお、現在接続されている硬貨処理機３０の識別コードと、販売価格データ４４に対応付けられた識別コードとが一致しない場合には、液晶ディスプレイ２５やスピーカ２６を通じてその旨出力するとともに、猶予時間の経過後に販売価格データ４４が初期化される旨出力ことが好ましい。
【００５２】
一方、上述の自動販売機では、予め設定した猶予時間が経過するまでにリモコン５０からキャンセル操作を行うと（ステップＳ１０８：ＹＥＳ）、メモリ４１に格納されていた販売価格データ４４が有効となり（ステップＳ１０５）、この販売価格データ４４の設定内容に従って商品の販売が行われることになる。つまり、キャンセル操作を行うことにより、販売価格データ４４の識別コードと現在接続されている硬貨処理機３０の識別コードとが一致していない場合にも、メモリ４１に格納されていた販売価格データ４４を使った商品販売が可能となる。
【００５３】
従って、例えば、工場出荷時に仕向国Ａの硬貨処理機３０が用意されていない場合にも、仕向国Ｂの硬貨処理機３０を接続した状態で仕向国Ａの販売価格を想定した価格設定処理を実施すれば、その後に仕向国Ａに対応した正規の硬貨処理機３０を接続することにより、新たに価格設定処理を実施することなく所望とする価格設定で商品の販売を行うことができるようになる。例えば、工場には上述したインドネシアが仕向国として設定された硬貨処理機３０のみが用意されている状況下においても、図８に示すように、正規の仕向国タイを想定してインドネシアルピアで価格設定処理を実施し、その後、実際にタイで自動販売機を設置する際にタイを仕向国とする硬貨処理機３０を接続すれば（金額の桁数が１桁）、タイバーツに対応した価格設定で商品を販売することが可能となる。
【００５４】
なお、上述した実施の形態２では、硬貨処理機３０及び紙幣処理機１３０を備えた自動販売機を例示しているが、必ずしもこれに限定されない。例えば、硬貨処理機及び電子マネー決済機を備えた自動販売機や紙幣処理機及び電子マネー決済機を備えた自動販売機であっても良いし、硬貨処理機、紙幣処理機及び電子マネー決済機を備えた自動販売機であっても構わない。
【００５５】
また、上述した実施の形態２では、予め設定した優先度データ４３に従って稼働する決済処理機を選択するようにしているが、本発明はこれに限定されず、例えば仕向国の事情に即してリモコン５０から稼働する決済処理機を選択するようにしても良い。リモコン５０から稼働する決済処理機を選択する場合には、制御部４０によって複数の決済処理機の仕向国データが一致していないと判断された時点でリモコン５０からの入力を促すように液晶ディスプレイ２５やスピーカ２６から出力を行うことが好ましい。
【００５６】
またさらに、上述した実施の形態２では、販売価格データ４４を初期化する以前に猶予時間を設けるようにしているが、必ずしも猶予時間を設ける必要はなく、現在接続されている決済処理機の識別コードと、販売価格データに対応付けられた識別コードとが一致しない場合にクリア条件が充足された判断し、直ちに販売価格データ４４を初期化するようにしても良い。
【００５７】
さらに、上述した実施の形態２では、猶予時間が経過するまでの間にリモコン５０からキャンセル操作が入力された場合にメモリ４１に格納されていた販売価格データ４４を維持するようにしているが、本発明はこれに限定されない。例えば、猶予時間が経過するまでの間の選択ボタン２４や返却レバー２９からの操作入力をキャンセル操作とし、メモリ４１に格納されていた販売価格データ４４を維持するようにしても良い。また、キャンセル操作としては、電源投入後に行う操作ばかりでなく、例えば、選択ボタン２４もしくは返却レバー２９を操作しながら電源投入した場合、つまり電源投入時に選択ボタン２４もしくは返却レバー２９が操作されていた場合、キャンセル操作が行われたと判断し、メモリ４１に格納されていた販売価格データ４４を維持するようにしても良い。なお、この場合には、電源投入時に選択ボタン２４もしくは返却レバー２９が操作されていなかった時点でクリア条件が充足されたと判断し、直ちに販売価格データ４４を初期化しても良いし、さらにキャンセル操作無く猶予時間が経過した時点でクリア条件が充足されたと判断して販売価格データ４４を初期化しても良い。
【００５８】
さらに、上述した実施の形態１及び実施の形態２では、いずれも容器入り飲料を販売する自動販売機を例示しているが、本発明はこれに限定されず、その他の商品を販売する自動販売機にももちろん適用することが可能である。またさらに、決済処理機３０，１３０に対しては仕向国データとして識別コードのみを格納するようにしているため、大容量の内部メモリ３１，１３１が必要となることもなく、決済処理機３０，１３０の製造コストが増大する事態を防止することができる。しかしながら、出力データセット４２を決済処理機３０，１３０の内部メモリ３１，１３１に格納するようにしても構わない。つまり、決済処理機３０，１３０が機器本体１０に取り付けられた際に、制御部４０が決済処理機３０，１３０に格納された出力データセット４２を読み出して自己のメモリ４１に設定値として格納すれば、仕向国に対応した出力を行うことが可能となる。
【００５９】
出力データの出力機器として液晶ディスプレイ２５及びスピーカ２６を備えるものを例示しているが、必ずしも両者を備えている必要はなく、またその他の出力機器に対して出力を行うようにしても構わない。
【符号の説明】
【００６０】
１      本体キャビネット
２      外扉
１０      機器本体
１１      収納庫
１２      温度調整ユニット
２１      硬貨投入口
２２      硬貨返却口
２３      商品取出口
２４      選択ボタン
２５      液晶ディスプレイ
２６      スピーカ
２７      払出機構
２８      紙幣挿入口
２９      返却レバー
３０      硬貨処理機
３１      内部メモリ
４０      制御部
４１      メモリ
４２      出力データセット
４３      優先度データ
４４      販売価格データ
５０      リモコン
１３０      紙幣処理機
１３１      内部メモリ
【図１】
2020087406.tif 000003
【図２】
2020087406.tif 000004
【図３】
2020087406.tif 000005
【図４】
2020087406.tif 000006
【図５】
2020087406.tif 000007
【図６】
2020087406.tif 000008
【図７】
2020087406.tif 000009
【図８】
2020087406.tif 000010